(57)【要約】  本願は、フィルム二重ガラス光起電部品及びその作製方法を提供しており、背面ガラス、フロントガラス及びフィルム電池パックを含み、背面ガラスとフロントガラスとの間はスペーサーリブによって中空チャンバが形成され、フィルム電池パックは中空チャンバ内に設置されており、前記スペーサーリブにワイヤが設置され、前記ワイヤの方向は前記スペーサーリブの方向と一致する。本願により提供されるフィルム二重ガラス光起電部品及びその作製方法は、背面ガラスとフロントガラスとの間に形成される中空チャンバにおいて、フィルム電池パックが背面ガラス及びフロントガラスによって押さえられないようにして、背面ガラス及びフロントガラスの熱膨張とコールド収縮に起因する引張損害を回避して、フィルム電池パックの寿命を向上させる。
2019523979.tif 000002
【特許請求の範囲】
【請求項１】
フィルム二重ガラス光起電部品であって、
背面ガラス、フロントガラス及びフィルム電池パックを含み、前記背面ガラスと前記フロントガラスとの間はスペーサーリブによって中空チャンバが形成され、前記フィルム電池パックは前記中空チャンバ内に設置されており、前記スペーサーリブにワイヤが設置され、前記ワイヤの方向は前記スペーサーリブの方向と一致することを特徴とするフィルム二重ガラス光起電部品。
【請求項２】
前記スペーサーリブはブチルゴムストリップであることを特徴とする請求項１に記載のフィルム二重ガラス光起電部品。
【請求項３】
前記ワイヤは前記ブチルゴムストリップの内部に被覆されていることを特徴とする請求項２に記載のフィルム二重ガラス光起電部品。
【請求項４】
前記ワイヤは直径０．５〜１．５ｍｍの鋼線であることを特徴とする請求項３に記載のフィルム二重ガラス光起電部品。
【請求項５】
さらに、中空パイプを含み、前記中空パイプの中心軸線は前記スペーサーリブの方向と平行せず、かつ、前記中空パイプの両端の端口は前記スペーサーリブの両側に露出されて、前記中空パイプの一端の端口は前記中空チャンバ内に位置し、他端の端口は外部に位置するようにすることを特徴とする請求項３に記載のフィルム二重ガラス光起電部品。
【請求項６】
前記中空パイプは前記スペーサーリブ内から突き抜き、かつ、前記中空パイプは前記ワイヤを跨がないことを特徴とする請求項３〜５のいずれか一項に記載のフィルム二重ガラス光起電部品。
【請求項７】
前記中空パイプの内径は２ｍｍで、長さは３０ｍｍであることを特徴とする請求項６に記載のフィルム二重ガラス光起電部品。
【請求項８】
前記中空パイプの材質はポリエチレンであることを特徴とする請求項７に記載のフィルム二重ガラス光起電部品。
【請求項９】
さらに、支持ボールを含み、前記支持ボールは前記中空チャンバ内に設置されていることを特徴とする請求項１〜５のいずれか一項に記載のフィルム二重ガラス光起電部品。
【請求項１０】
前記支持ボールは直径２〜４ｍｍで、材質はＰＯＥまたはＥＶＡである架橋型または熱硬化型の微小球状体のコロイド粒子であることを特徴とする請求項９に記載のフィルム二重ガラス光起電部品。
【請求項１１】
さらに、バスバー及びコネクタボックスを含み、前記フィルム電池パックのバックライト面と前記バスバーとの間に絶縁封止フィルムが設置されており、かつ、前記バスバーの一端と一組の前記フィルム電池パックは導通可能に接続されており、前記バスバーの他端は前記中空チャンバ内から突き抜いた後、前記コネクタボックスと接続されることを特徴とする請求項１〜５のいずれか一項に記載のフィルム二重ガラス光起電部品。
【請求項１２】
前記バスバーは出口を通過して前記中空チャンバ内から突き抜き、前記出口は前記背面ガラスに位置、または、前記出口は前記背面ガラスと前記フロントガラスとの間に位置することを特徴とする請求項１１に記載のフィルム二重ガラス光起電部品。
【請求項１３】
フィルム二重ガラス光起電部品の作製方法であって、
フロントガラスを平らに置き、前記フロントガラスの上向きの面の周囲にスペーサーリブを設置するステップＳ１００、
フィルム電池パックを前記フロントガラス上に配置し、前記フィルム電池パックの受光面が前記フロントガラスに向かうように保持するステップＳ２００、
フィルム電池パックの上方に背面ガラスを被せるステップＳ３００、及び
ラミネータによって積層を行って、フィルム二重ガラス光起電部品を形成するステップＳ４００を含むことを特徴とするフィルム二重ガラス光起電部品の作製方法。
【請求項１４】
ステップＳ１００は具体的に、
フロントガラスを平らに置き、前記フロントガラスの上向きの面の周囲にスペーサーリブを設置すると同時に、前記スペーサーリブに前記スペーサーリブの方向と一致する一本のワイヤを配置するステップＳ１１０を含むことを特徴とする請求項１３に記載のフィルム二重ガラス光起電部品の作製方法。
【請求項１５】
ステップＳ１１０の後に、さらに、
前記スペーサーリブ内に予め中空パイプを埋設して、前記中空パイプの両端の端口が前記スペーサーリブの両側に露出されるようにし、かつ、前記中空パイプが前記ワイヤを跨がないようにするステップＳ１２０を含むことを特徴とする請求項１４に記載のフィルム二重ガラス光起電部品の作製方法。
【請求項１６】
ステップＳ１００の前に、前記作製方法はさらにフィルム電池パックの作製過程を含み、前記フィルム電池パックの作製過程は、
複数のフィルム電池に対して直列積層を行うステップＳ０１、
積層後の複数のフィルム電池のバックライト面に絶縁封止フィルムを設置するステップＳ０２、及び
前記絶縁封止フィルムにバスバーを貼り付けるステップＳ０３を含むことを特徴とする請求項１３〜１５のいずれか一項に記載のフィルム二重ガラス光起電部品の作製方法。
【請求項１７】
ステップＳ３００は具体的に、
バスバーを出口から突き抜いた後、フィルム電池パックの上方に背面ガラスを被せるステップＳ３１０、
前記出口の位置にゴムを差し込むステップＳ３２０、及び
突き抜いた後のバスバーとコネクタボックスとを接続し、前記コネクタボックスに封止ゴムを打ち込むステップＳ３３０を含むことを特徴とする請求項１３〜１５のいずれか一項に記載のフィルム二重ガラス光起電部品の作製方法。
【請求項１８】
ステップＳ４００の後に、さらに、
フロントガラスと背面ガラスとの間の中空チャンバに対して真空引き操作を行うステップＳ５００を含むことを特徴とする請求項１３〜１５のいずれか一項に記載のフィルム二重ガラス光起電部品の作製方法。
【請求項１９】
ステップＳ５００の後に、さらに、前記中空チャンバ内に窒素ガスを注入するステップＳ６００を含むことを特徴とする請求項１８に記載のフィルム二重ガラス光起電部品の作製方法。
【請求項２０】
ステップＳ２００の後、かつステップＳ３００の前に、前記作製方法はさらに、
フィルム電池パックの隙間の箇所に複数の支持ボールを配置するステップＳ２１０を含むことを特徴とする請求項１３〜１５のいずれか一項に記載のフィルム二重ガラス光起電部品の作製方法。
【発明の詳細な説明】
【技術分野】
【０００１】
本願は、太陽エネルギー電池技術に関し、特にフィルム二重ガラス光起電部品及びその作製方法に関する。
【背景技術】
【０００２】
太陽エネルギー電池技術の発展に伴い、ＣＩＧＳフィルム電池からなる光起電部品はますます多く応用されている。従来のＣＩＧＳフィルム電池は、両面にいずれも封止フィルムが設けられ、また二枚のガラスで封止されている。
【０００３】
従来技術において、冷熱の急激な変化がある場合、封止層及び前後のガラスの熱膨張とコールド収縮はＣＩＧＳフィルム電池のフィルム層に対して引張、圧縮を発生して、光起電部品の寿命に影響を与える。
【発明の概要】
【発明が解決しようとする課題】
【０００４】
本願は、フィルム二重ガラス光起電部品及びその作製方法を提供して、従来技術における課題を解決し、冷熱変化の際に、封止層の熱膨張とコールド収縮に起因するＣＩＧＳフィルム電池に対する損害を回避することを目的とする。
【０００５】
本願にて提供するフィルム二重ガラス光起電部品は、背面ガラス、フロントガラス及びフィルム電池パックを含み、前記背面ガラスと前記フロントガラスとの間はスペーサーリブによって中空チャンバが形成され、前記フィルム電池パックは前記中空チャンバ内に設置されており、前記スペーサーリブにワイヤが設置されており、前記ワイヤの方向は前記スペーサーリブの方向と一致する。
【０００６】
上記のようなフィルム二重ガラス光起電部品において、前記スペーサーリブはブチルゴムストリップであることが好ましい。
【０００７】
上記のようなフィルム二重ガラス光起電部品において、前記ワイヤは前記ブチルゴムストリップの内部に被覆されていることが好ましい。
【０００８】
上記のようなフィルム二重ガラス光起電部品において、前記ワイヤは直径０．５〜１．５ｍｍの鋼線であることが好ましい。
【０００９】
上記のようなフィルム二重ガラス光起電部品において、さらに、中空パイプを含み、前記中空パイプの中心軸線は前記スペーサーリブの方向と平行せず、かつ、前記中空パイプの両端の端口は前記スペーサーリブの両側に露出されて、前記中空パイプの一端の端口は前記中空チャンバ内に位置し、他端の端口は外部に位置するようにすることが好ましい。
【００１０】
上記のようなフィルム二重ガラス光起電部品において、前記中空パイプは前記スペーサーリブ内から突き抜き、かつ、前記中空パイプは前記ワイヤを跨がないことが好ましい。
【００１１】
上記のようなフィルム二重ガラス光起電部品において、前記中空パイプの内径は２ｍｍで、長さは３０ｍｍであることが好ましい。
【００１２】
上記のようなフィルム二重ガラス光起電部品において、前記中空パイプの材質はポリエチレンであることが好ましい。
【００１３】
上記のようなフィルム二重ガラス光起電部品において、さらに、支持ボールを含み、前記支持ボールは前記中空チャンバ内に設置されていることが好ましい。
【００１４】
上記のようなフィルム二重ガラス光起電部品において、前記支持ボールは直径２〜４ｍｍで、材質はＰＯＥまたはＥＶＡである架橋型または熱硬化型の微小球状体のコロイド粒子であることが好ましい。
【００１５】
上記のようなフィルム二重ガラス光起電部品において、さらに、バスバー及びコネクタボックスを含み、前記フィルム電池パックのバックライト面と前記バスバーとの間に絶縁封止フィルムが設置されており、かつ、前記バスバーの一端と一組の前記フィルム電池パックは導通可能に接続されており、前記バスバーの他端は前記中空チャンバから突き抜いた後、前記コネクタボックスと接続されることが好ましい。
【００１６】
上記のようなフィルム二重ガラス光起電部品において、前記バスバーは出口を通過して前記中空チャンバ内から突き抜き、前記出口は前記背面ガラスに位置、または、前記出口は前記背面ガラスと前記フロントガラスとの間に位置することが好ましい。
【００１７】
本願は、さらにフィルム二重ガラス光起電部品の作製方法を提供しており、
フロントガラスを平らに置き、前記フロントガラスの上向きの面の周囲にスペーサーリブを設置するステップＳ１００、
フィルム電池パックを前記フロントガラス上に配置し、前記フィルム電池パックの受光面が前記フロントガラスに向かうように保持するステップＳ２００、
フィルム電池パックの上方に背面ガラスを被せるステップＳ３００、及び
ラミネータによって積層を行って、フィルム二重ガラス光起電部品を形成するステップＳ４００を含む。
【００１８】
上記のようなフィルム二重ガラス光起電部品の作製方法において、ステップＳ１００は具体的に、
フロントガラスを平らに置き、前記フロントガラスの上向きの面の周囲にスペーサーリブを設置すると同時に、前記スペーサーリブに前記スペーサーリブの方向と一致する一本のワイヤを配置するステップＳ１１０を含むことが好ましい。
【００１９】
上記のようなフィルム二重ガラス光起電部品の作製方法において、ステップＳ１１０の後に、さらに、
前記スペーサーリブ内に予め中空パイプを埋設して、前記中空パイプの両端の端口が前記スペーサーリブの両側に露出されるようにし、かつ、前記中空パイプが前記ワイヤを跨がないようにするステップＳ１２０を含むことが好ましい。
【００２０】
上記のようなフィルム二重ガラス光起電部品の作製方法において、ステップＳ１００の前に、前記作製方法はさらにフィルム電池パックの作製過程を含み、前記フィルム電池パックの作製過程は、
複数のフィルム電池に対して直列積層を行うステップＳ０１、
積層後の複数のフィルム電池のバックライト面に絶縁封止フィルムを設置するステップＳ０２、及び
前記絶縁封止フィルムにバスバーを貼り付けるステップＳ０３を含むことが好ましい。
上記のようなフィルム二重ガラス光起電部品の作製方法において、ステップＳ３００は具体的に、
バスバーを出口から突き抜いた後、フィルム電池パックの上方に背面ガラスを被せるステップＳ３１０、
前記出口の位置にゴムを差し込むステップＳ３２０、及び
突き抜いた後のバスバーとコネクタボックスとを接続し、前記コネクタボックスに封止ゴムを打ち込むステップＳ３３０を含むことが好ましい。
【００２１】
上記のようなフィルム二重ガラス光起電部品の作製方法において、ステップＳ４００の後に、さらに、
フロントガラスと背面ガラスとの間の中空チャンバに対して真空引き操作を行うステップＳ５００を含むことが好ましい。
【００２２】
上記のようなフィルム二重ガラス光起電部品の作製方法において、ステップＳ５００の後に、さらに、前記中空チャンバ内に窒素ガスを注入するステップＳ６００を含むことが好ましい。
【００２３】
上記のようなフィルム二重ガラス光起電部品の作製方法において、ステップＳ２００の後、かつステップＳ３００の前に、前記作製方法はさらに、
フィルム電池パックの隙間の箇所に複数の支持ボールを配置するステップＳ２１０を含むことが好ましい。
【００２４】
本願により提供されるフィルム二重ガラス光起電部品及びその作製方法は、フィルム電池パックを背面ガラスとフロントガラスとの間に形成される中空チャンバ内に設置して、フィルム電池パックが背面ガラス及びフロントガラスによって押さえられないようにして、背面ガラス及びフロントガラスの熱膨張とコールド収縮に起因する引張損害を回避して、フィルム電池パックの寿命を向上させる。同時に、スペーサーリブ内にワイヤを設置することによって、背面ガラスとフロントガラスをさらに隔離させて、中空チャンバ内部のフィルム電池パックが損害されないように確保する。
【００２５】
さらに、予め中空パイプを埋設することによって、中空チャンバに対する真空引きと窒素ガスを注入する操作を可能として、フィルム電池パックの酸化を回避する。
【００２６】
さらに、中空チャンバ内に支持ボールを設置することによって、背面ガラスとフロントガラスをさらに隔離させて、中空チャンバ内部のフィルム電池パックが損害されないように確保する。
【図面の簡単な説明】
【００２７】
【図１】本願の実施例一により提供されるフィルム二重ガラス光起電部品の構造概略図である。
【図２】本願の実施例一により提供されるフィルム二重ガラス光起電部品のフロントガラスを隠した後の構造模式図である。
【図３】図２におけるＡ箇所の拡大図である。
【図４】単一のフィルム電池の構造模式図である。
【図５】スペーサーリブ、ワイヤ及び中空パイプを設置した背面ガラスの構造模式図である。
【図６】図５におけるＢ箇所の拡大図である。
【図７】図５におけるＣ箇所の拡大図である。
【図８】本願の実施例一により提供されるフィルム二重ガラス光起電部品の背面図である。
【発明を実施するための形態】
【００２８】
以下、本願の実施例を詳しく説明する。前記実施例の例示は図面に示されており、全文において、同じまたは類似した番号は、同じまたは類似した素子或いは同じまたは類似した機能を有する素子を示す。以下、図面を参照しながら説明する実施例は例示的なものであり、本願の解釈にのみ用いられ、本願に対する制限と理解してはいけない。
【００２９】
実施例一
本願の実施例一は、フィルム二重ガラス光起電部品を提供しており、図１に示すように、図１は本願の実施例一により提供されるフィルム二重ガラス光起電部品の構造概略図である。フィルム二重ガラス光起電部品は、背面ガラス１、フロントガラス２及びフィルム電池パック３を含む。ここで、背面ガラス１とフロントガラス２との間はスペーサーリブ６（図１には図示せず、図２を参照可能）によって中空チャンバ４が形成され、フィルム電池パック３は中空チャンバ４内に設置されている。図５と図６を参照し、該スペーサーリブ６にワイヤ７が設置されており、ワイヤ７の方向はスペーサーリブ６の方向と一致する。ワイヤ７は、直径０．５〜１．５ｍｍの鋼線であってもよい。該ワイヤ７の設置は、背面ガラス１とフロントガラス２との間の間隔として、中空チャンバ４内のフィルム電池パック３をさらに保護し、フィルム電池パック３が必要以上に押し付けられることを回避する。
【００３０】
本願の実施例一により提供されるフィルム二重ガラス光起電部品は、フィルム電池パックを背面ガラスとフロントガラスとの間に形成される中空チャンバ内に設置することによって、フィルム電池パックが背面ガラス及びフロントガラスにより押し付けられないようにして、背面ガラス及びフロントガラスの熱膨張とコールド収縮に起因する引張損害を回避し、フィルム電池パックの寿命を向上させる。同時に、スペーサーリブにワイヤを設置することによって、背面ガラスとフロントガラスをさらに隔離して、中空チャンバ内部のフィルム電池パックが損害されないように確保する。
該フィルム二重ガラス光起電部品は、さらに支持ボール５を含み、支持ボール５は中空チャンバ４内に設置されることが好ましい。
【００３１】
支持ボール５の役割は、背面ガラス１とフロントガラス２をさらに支持、隔離することであって、その材質とサイズは実際の必要に応じて設定可能であることは理解できるはずである。本実施例において、支持ボール５は直径２〜４ｍｍで、材質はＰＯＥまたはＥＶＡである架橋型または熱硬化型の微小球状体のコロイド粒子であり、積層を行う際に、支持ボール５は熱を受けて背面ガラス１上に硬化される。
【００３２】
スペーサーリブ６は従来技術における普通のゴムストリップを使用してもよく、本実施例におけるスペーサーリブ６はブチルゴムストリップであって、背面ガラス１に貼り付けられることが好ましい。
【００３３】
ワイヤ７はスペーサーリブ６に設置されてもよく、スペーサーリブ６の内部に設置されてもよいが、本実施例において、スペーサーリブ６はブチルゴムストリップを採用し、ブチルゴムストリップを塗布し、かつブチルゴムストリップがまだ凝固していない間に、ワイヤ７を配置し、ブチルゴムストリップが凝固すると、ワイヤ７はブチルゴムストリップの内部に被覆、形成されることになる。
【００３４】
図２は、本願の実施例一により提供されるフィルム二重ガラス光起電部品のフロントガラスを隠した後の構造模式図であり、図３は図２におけるＡ箇所の拡大図であり、図４は単一のフィルム電池の構造模式図である。図２から図４に示すように、本実施例におけるフィルム二重ガラス光起電部品は総計３つのフィルム電池パック３を含み、各フィルム電池パック３は複数枚の独立したフィルム電池を積層して形成される。図４を参照し、単一のフィルム電池における導電線３１は電池本体から延伸して、もう１つのフィルム電池と積層され、図３を参照し、複数のフィルム電池を直列接続して、１つのフィルム電池パック３を形成する。
【００３５】
図７は図５におけるＣ箇所の拡大図であり、図５と図７に示すように、後期の作製において、中空チャンバ４に対して真空引きと窒素ガスを注入する操作を行う必要があることを考慮し、さらに、中空パイプ８が設置され、中空パイプ８の中心軸線はスペーサーリブ６の方向と平行せず、かつ、中空パイプ８の両端の端口はスペーサーリブ６の両側に露出されて、中空パイプ８の一端の端口は中空チャンバ４内に位置し、他端の端口は外部に位置するようにする。予め中空パイプ８を埋設する過程において、中空パイプ８の中心軸線とスペーサーリブ６の方向が平行しないように確保してからこそ、中空パイプ８の両端がいずれもスペーサーリブ６の両側から張り出すようにすることができ、実際の操作において、中空パイプ８とスペーサーリブ６の方向を互いに垂直するように設置すると同時に、中空パイプ８はスペーサーリブ６の箇所を跨ぐが、ワイヤ７を跨がないようにしてもよい。具体的な操作において、ワイヤ７を断裂状態に設置して、中空パイプ８がワイヤ７の断裂した位置から突き抜くようにしてもよく、図７に示すように、中空パイプ８とワイヤ７が干渉、摩耗されて、漏気などの現象が発生してしまうことを回避する。中空パイプ８の強度を確保するために、内径２ｍｍ、長さ３０ｍｍのポリエチレン管である中空パイプ８を設置してもよい。
【００３６】
図８は、本願の実施例一により提供されるフィルム二重ガラス光起電部品の背面図であり、上記実施例に加え、該光起電部品はさらにバスバー９及びコネクタボックス１０を含み、フィルム電池パック３のバックライト面とバスバー９との間に絶縁封止フィルムが設置されており、かつ、バスバー９の一端は一組のフィルム電池パック３と導通可能に接続されて、該組のフィルム電池パック３の電流を集め、他端は中空チャンバ４内から突き抜いた後、コネクタボックス１０と接続される。
【００３７】
バスバー９は出口を通過して中空チャンバ４内から突き抜き、突き抜く位置は背面ガラス１であってもよく、実際の必要に応じて、背面ガラス１の中間位置であっても、他の位置であってもよく、バスバー９が突き抜く位置は背面ガラス１とフロントガラス２との間であってもよい。相応的に、コネクタボックス１０もバスバー９の突き抜く位置に応じて背面ガラス１上に設置し、或いは、背面ガラス１とフロントガラス２との間に設置してもよい。
【００３８】
実施例二
本願の実施例二は、フィルム二重ガラス光起電部品の作製方法を提供し、以下のステップを含む。
ステップＳ１００において、フロントガラス２を平らに置き、フロントガラス２の上向きの面の周囲にスペーサーリブ６を設置する。
該スペーサーリブ６は従来技術における普通のゴムストリップであってもよく、本実施例で採用するブチルゴムストリップであってもよいが、フロントガラス２の周囲に一定量のブチルゴムを打ち込んで、フロントガラス２と背面ガラス１との間の間隔とする。
ステップＳ２００において、フィルム電池パック３をフロントガラス２に配置し、フィルム電池パック３の受光面がフロントガラス２に向かうように保持する。
実際の必要に応じて、フィルム電池パック３をフロントガラス２の中央に配置してもよい。
ステップＳ３００において、フィルム電池パック３の上方に背面ガラス１を被せる。
ステップＳ４００において、ラミネータによって積層を行って、フィルム二重ガラス光起電部品を形成する。
該ステップにおいて、積層プロセスは従来技術における積層プロセスと同じであるため、詳細な説明は省略する。ステップＳ４００の後に、また真空引き操作を行うことが好ましく、即ち、該作製方法はさらに以下のステップを含む。
ステップＳ５００において、フロントガラス２と背面ガラス１との間の中空チャンバ４に対して真空引き操作を行う。
該ステップＳ５００の後に、さらに窒素ガスを注入する操作を含むことが好ましく、即ち、該作製方法はさらに以下のステップを含む。
ステップＳ６００において、中空チャンバ４内に窒素ガスを注入する。フィルム二重ガラス光起電部品を窒素ガスの雰囲気下で冷却されるようにする。
【００３９】
フィルム二重ガラス光起電部品は、ラミネータから出した後、また窒素ガスが注入されたポリエチレン管の外部に露出されている一端に対してホットメルトシールを行って、中空チャンバ４内部の密封状態を確保する。
【００４０】
ステップＳ２００の後、かつ、ステップＳ３００の前に、該作製方法は、さらに、フィルム電池パック３の隙間の箇所に複数の支持ボール５を配置するステップＳ２１０を含むことが好ましい。
【００４１】
該支持ボール５は、直径２〜４ｍｍで、材質はＰＯＥまたはＥＶＡの架橋型または熱硬化型の微小球状体のコロイド粒子であってもよい。フィルム電池パック３をフロントガラス２に配設した後、フィルム電池パック３の間の隙間の箇所に前記コロイド粒子を均一に投下し、該コロイド粒子は積層の際に軟化し、フロントガラス２及び背面ガラス１と接触して、フィルム電池パック３に対して位置決め及び位置制限の役割を果たす。
【００４２】
実施例三
本願の実施例三は、フィルム二重ガラス光起電部品の作製方法を提供し、以下のステップを含む。
【００４３】
フィルム電池パック３の作製過程は、以下のステップを含む。
ステップＳ０１において、複数のフィルム電池に対して直列積層を行う。
ステップＳ０２において、積層後の複数のフィルム電池のバックライト面に絶縁封止フィルムを設置する。
ステップＳ０３において、絶縁封止フィルムにバスバーを貼り付ける。
フィルム電池パック３を作製完了後に、以下のステップを行う。
ステップＳ１１０において、フロントガラス２を平らに置き、フロントガラス２の上向きの面の周囲にスペーサーリブ６を設置すると同時に、スペーサーリブ６にスペーサーリブ６の方向と一致する一本のワイヤ７を設置する。
ステップＳ１２０において、スペーサーリブ６内に予め中空パイプ８を埋設して、中空パイプ８の両端の端口がスペーサーリブ６の両側に露出されるようにし、中空パイプ８がワイヤ７を跨がないようにする。
【００４４】
ステップＳ２００において、フィルム電池パック３をフロントガラス２に配置し、フィルム電池パック３の受光面がフロントガラス２に向かうように確保する。
ステップＳ２１０において、フィルム電池パック３の隙間の箇所に複数の支持ボール５を配置する。
ステップＳ３１０において、バスバー９を出口から突き抜いた後、フィルム電池パック３の上方に背面ガラス１を被せる。
ステップＳ３２０において、出口の位置にゴムを差し込む。
ステップＳ３３０において、突き抜いた後のバスバー９とコネクタボックス１０を接続し、コネクタボックス１０に封止ゴムを打ち込む。
ステップＳ４００において、ラミネータによって積層を行って、フィルム二重ガラス光起電部品を形成する。
ステップＳ５００において、フロントガラス２と背面ガラス１との間の中空チャンバ４に対して真空引き操作を行う。
ステップＳ６００において、中空チャンバ４内に窒素ガスを注入する。
【００４５】
以上、図面に示されている実施例に基づいて、本願の構造、特徴及び作用効果を詳しく説明したが、以上の記載は本願の好ましい実施例に過ぎず、本願の実施例は図面に示されている内容で実施範囲を限定するものではなく、本願の実施例の構想に基づいて行われたすべての変更または修正は、等価変化の同等の実施例であり、明細書及び図面に示されている趣旨を超えない場合、いずれも本願の保護範囲内に属すべきである。
【産業上の利用可能性】
【００４６】
本願により提供されるフィルム二重ガラス光起電部品及びその作製方法は、フィルム電池パックを背面ガラスとフロントガラスとの間に形成される中空チャンバ内に設置して、フィルム電池パックが背面ガラス及びフロントガラスによって押されられないようにして、背面ガラス及びフロントガラスの熱膨張とコールド収縮に起因する引張損害を回避し、フィルム電池パックの寿命を向上させる。光起電部品の寿命が短く、性能の減衰が速い問題に悩まされている現在の産業化社会にとって、本願は特に望まれている創造である。
【００４７】
なお、本願の産業実用性の長所は、また該フィルム二重ガラス光起電部品の具体的構造から起源し、即ち、スペーサーリブ内にワイヤを設置することによって、背面ガラスとフロントガラスとをさらに隔離して、中空チャンバ内部のフィルム電池パックが損害されないように確保する。一方、予め中空パイプを埋設することによって、中空チャンバに対する真空引きと窒素ガスを注入する操作を可能とし、フィルム電池パックの酸化を回避する。中空チャンバ内に支持ボールを設置することによって、背面ガラスとフロントガラスとをさらに隔離して、中空チャンバ内部のフィルム電池パックが損害されないように確保する。よって、従来技術における封止層及びガラスが温度変化の影響を受けて、各フィルム層が引っ張られるＣＩＧＳフィルム電池にとって、本願の、耐引張、酸化防止などの長所を有するフィルム二重ガラス光起電部品及びその作製方法は、強い産業実用性を有する。
【符号の説明】
【００４８】
１    背面ガラス
２    フロントガラス
３    フィルム電池パック
３１  導電線
４    中空チャンバ
５    支持ボール
６    スペーサーリブ
７    ワイヤ
８    中空パイプ
９    バスバー
１０  コネクタボックス
【図１】
2019523979.tif 000003
【図２】
2019523979.tif 000004
【図３】
2019523979.tif 000005
【図４】
2019523979.tif 000006
【図５】
2019523979.tif 000007
【図６】
2019523979.tif 000008
【図７】
2019523979.tif 000009
【図８】
2019523979.tif 000010
【国際調査報告】
2019523979.tif 000011
2019523979.tif 000012
2019523979.tif 000013
2019523979.tif 000014